(57)【要約】【課題】  パネルを支持するための支持台の上方が開放された状態にあって、支持台上へのパネルの着脱作業やパネル上への縁枠材のセット作業を容易に行うことができる縁枠材の取付方法及び取付装置を提供する。【解決手段】  パネル１１を支持台１２上に支持する。縁枠材１３を治具１５に保持した状態で、その縁枠材１３がパネル１１の開口部１１ａの周縁表面に重合されるように、治具１５を支持台１２にセットする。そのセット状態において、アクチュエータ２５により作動部材２６を治具１５の被固定部材２４に係合させ、支持台１２側からパネル１１の開口部１１ａを介して治具１５をパネル１１に対して引き付けて、縁枠材１３を開口部１１ａの周縁表面に圧着させる。【選択図】      図３
2006123082.tif 000002
【特許請求の範囲】
【請求項１】
パネルに形成された開口部の周縁表面に縁枠材を重合固定するための縁枠材の取付方法において、
前記パネルを支持台上に支持し、前記縁枠材を治具に保持した状態で、その縁枠材がパネルの開口部の周縁表面に重合されるように、治具を支持台にセットし、そのセット状態において支持台側からパネルの開口部を介して治具をパネル側に引き付けて、縁枠材を開口部の周縁表面に圧着させることを特徴とした縁枠材の取付方法。
【請求項２】
パネルに形成された開口部の周縁表面に縁枠材を重合固定するための縁枠材の取付装置において、
前記パネルを支持するための支持台と、
前記縁枠材を保持するための保持部を有し、縁枠材をパネルの開口部に位置決めするための治具とを備え、
前記治具にはパネルの開口部を介して支持台側に突出する突出部を設け、前記支持台には突出部に係合して治具を支持台側に引き付けるための作動手段を設けたことを特徴とする縁枠材の取付装置。
【請求項３】
前記支持台と治具との間には、治具をセット位置に案内するための案内手段を設けたことを特徴とする請求項２に記載の縁枠材の取付装置。
【請求項４】
前記支持台と治具との間には、支持台と治具とのセット位置関係を規制するための規制手段を設けたことを特徴とする請求項２または３に記載の縁枠材の取付装置。
【請求項５】
治具の一部に、縁枠材を吸着するための永久磁石を設けたことを特徴とする請求項２〜３のうちのいずれか一項に記載の縁枠材の取付装置。
【発明の詳細な説明】
【技術分野】
【０００１】
この発明は、例えば自動車等の車両における成形天井板等のパネルの製造工程において、パネルに形成された空調用操作盤等のための開口部の周縁に、縁枠材を重合固定する場合等に使用する縁枠材の取付方法及び取付装置に関するものである。
【背景技術】
【０００２】
従来のこの種の縁枠材の取付装置としては、例えば図５に示すような構成のものが実現されている。この従来構成においては、成形天井板等のパネル３１を支持するための支持台３２が装備されている。支持台３２には、パネル３１上の開口部３１ａと合致する透孔３２ａが形成され、その透孔３２ａの四隅には複数のセットピン３３が配設されている。そして、支持台３２上にパネル３１を支持するとともに、縁枠材３４またはパネル３１の開口部３１ａの周縁表面のいずれか一方に接着剤を塗布した状態で、縁枠材３４をセットピン３３により、開口部３１ａの周縁表面上の所定位置に位置決め配置するようになっている。
【０００３】
前記支持台３２の側部には、一対の逆Ｌ字状の支持アーム３５が立設配置されている。支持アーム３５の先端部間には圧着用シリンダ３６が取付板３７を介して支持され、そのピストンロッドの下端には押圧部材３８が取り付けられている。そして、前記のように支持台３２上においてパネル３１の開口部３１ａの周縁表面に縁枠材３４を位置決め配置した状態で、圧着用シリンダ３６にて押圧部材３８が下方の押圧位置に移動されることにより、縁枠材３４がパネル３１の開口部３１ａの周縁表面に圧着されるようになっている。
【発明の開示】
【発明が解決しようとする課題】
【０００４】
前記のように、この従来の縁枠材の取付装置においては、縁枠材３４を支持台３２上のパネル３１に側に向かって押圧するために、支持台３２の上方に支持アーム３５が延長配置されるとともに、その支持アーム３５の先端に圧着用シリンダ３６及び押圧部材３８が取り付けられている。このため、支持台３２の上面が塞がれた状態になって、支持台３２上にパネル３１を着脱したり、パネル３１上に縁枠材３４をセットしたりする際に、その作業性が悪くて作業能率の低下を招くという問題があった。
【０００５】
この発明は、このような従来の技術に存在する問題点に着目してなされたものである。その目的は、パネルを支持するための支持台の上方が開放された状態にあって、支持台上へのパネルの着脱作業やパネル上への縁枠材のセット作業を容易に行うことができる縁枠材の取付方法及び取付装置を提供することにある。
【課題を解決するための手段】
【０００６】
上記の目的を達成するために、請求項１に記載の発明は、パネルに形成された開口部の周縁表面に縁枠材を重合固定するための縁枠材の取付方法において、前記パネルを支持台上に支持し、前記縁枠材を治具に保持した状態で、その縁枠材がパネルの開口部の周縁表面に重合されるように、治具を支持台にセットし、そのセット状態において支持台側からパネルの開口部を介して治具をパネル側に引き付けて、縁枠材を開口部の周縁表面に圧着させることを特徴としたものである。
【０００７】
請求項２に記載の発明は、パネルに形成された開口部の周縁表面に縁枠材を重合固定するための縁枠材の取付装置において、前記パネルを支持するための支持台と、前記縁枠材を保持するための保持部を有し、縁枠材をパネルの開口部に位置決めするための治具とを備え、前記治具にはパネルの開口部を介して支持台側に突出する突出部を設け、前記支持台には突出部に係合して治具を支持台側に引き付けるための作動手段を設けたことを特徴とするものである。
【０００８】
請求項３に記載の発明は、請求項２に記載の発明において、前記支持台と治具との間には、治具をセット位置に案内するための案内手段を設けたことを特徴とするものである。
請求項４に記載の発明は、請求項２または３に記載の発明において、前記支持台と治具との間には、支持台と治具とのセット位置関係を規制するための規制手段を設けたことを特徴とするものである。
【０００９】
請求項５に記載の発明は、請求項２〜３のうちのいずれか一項に記載の発明において、治具の一部に、縁枠材を吸着するための永久磁石を設けたことを特徴とするものである。
（作用）
請求項１及び請求項２に記載の発明においては、パネルを支持するための支持台の上方に支持アーム、圧着用シリンダ及び押圧部材等が配設されることがなく、支持台の上方が開放された状態にある。このため、支持台上へのパネルの着脱作業やパネル上への縁枠材のセット作業を容易に行うことができて、それらの作業能率を向上させることができる。
【００１０】
請求項３に記載の発明においては、縁枠材を治具に保持した状態でパネルの開口部に対して所定位置に容易かつ正確にセットすることができる。
請求項４に記載の発明においては、規制手段により、支持台と治具とのセット位置関係が規制されるため、治具を誤った向きにセットされることがなく、組付不良を未然に防止することができる。
【００１１】
請求項５に記載の発明においては、永久磁石により鉄製の縁枠材を保持することができ、作業が容易になる。
【発明の効果】
【００１２】
以上のように、この発明によれば、パネルを支持するための支持台の上方が開放された状態にあって、支持台上へのパネルの着脱作業やパネル上への縁枠材のセット作業を容易かつ能率良くに行うことができる。
【発明を実施するための最良の形態】
【００１３】
以下に、この発明の一実施形態を、図１〜図４に基づいて説明する。
図１に示すように、この縁枠材の取付装置では、車両における成形天井板等のパネル１１を支持するための支持台１２が装備されている。前記パネル１１には空調用操作盤を取り付けるための長四角状の開口部１１ａ、及び空調用吸込口や吹出口を取り付けるための四角状の開口部１１ｂ，１１ｃが形成されている。支持台１２には、パネル１１上の開口部１１ａ，１１ｂ，１１ｃと合致する透孔１２ａ，１２ｂ，１２ｃが形成されている。そして、支持台１２上にパネル１１を支持した状態で、そのパネル１１の開口部１１ａの周縁表面に鉄製の縁枠材１３を重合固定するようになっている。
【００１４】
図１及び図２に示すように、前記縁枠材１３はパネル１１の開口部１１ａと合致するように長四角枠状に形成されている。縁枠材１３の両端上面には一対の取付金具１４が固定され、それらの取付金具１４の一部には位置決め孔１４ａが形成されている。そして、これらの位置決め孔１４ａを介して、縁枠材１３を治具１５に保持した状態で、その縁枠材１３がパネル１１の開口部１１ａの周縁表面に重合されるように、治具１５を支持台１２に対してセットするようになっている。
【００１５】
図１〜図４に示すように、前記治具１５は縁枠材１３とほぼ同サイズの長四角枠状に形成されている。治具１５の両側上面には一対の取付板１６が固定され、それらの取付板１６の上面には一対の側面ほぼ逆Ｕ字状の把手部１７が突設されている。治具１５の両側内部には一対の保持部材１８が支持板１９を介して取り付けられ、それらの保持部材１８には保持部としての斜め方向を向く位置決め突起１８ａが形成されている。そして、図４に示すように、これらの位置決め突起１８ａを縁枠材１３上の取付金具１４の位置決め孔１４ａに嵌合させることにより、縁枠材１３が治具１５に位置決め保持されるようになっている。
【００１６】
図１〜図３に示すように、前記治具１５上の各取付板１６の下面には、案内手段としての一対の案内ピン２０が突設されている。両案内ピン２０と対応するように、支持台１２の透孔１２ａ内には案内手段としての一対の案内部材２１が配設されている。各案内部材２１には、断面ほぼＶ形状をなす案内板２１ａ及びベアリング状の案内ベアリング２１ｂが設けられている。そして、治具１５を支持台１２にセットする際に、両案内ピン２０が案内部材２１の案内板２１ａを介して案内ベアリング２１ｂに嵌合されることにより、治具１５が所定のセット位置に案内誘導されるようになっている。
【００１７】
前記治具１５上の一方の取付板１６の下面には規制手段を構成する規制ピン２２が突設されている。規制ピン２２と相対向するように、支持台１２の透孔１２ａの開口周縁には同じく規制手段を構成する規制座部２３が形成されている。そして、治具１５が支持台１２の透孔１２ａに対して左右位置を一致させた状態でセットされたときには、図３に示すように、規制ピン２２が規制座部２３に当接しないで、治具１５のセットが許容される。これに対して、治具１５が支持台１２の透孔１２ａに対して左右位置を逆にした状態でセットされたときには、図１に鎖線で示すように、規制ピン２２が規制座部２３に当接して、治具１５のセットが阻止されるようになっている。
【００１８】
図１〜図３に示すように、前記治具１５上の両取付板１６の下面間には突出部としてのほぼＵ字状の被固定部材２４が架設され、支持台１２に対する治具１５のセット状態で、パネル１１の開口部１１ａ及び支持台１２の透孔１２ａを介して、支持台１２の下面側に突出するようになっている。
【００１９】
図３及び図４に示すように、治具１５の一部には、縁枠材１３を吸着保持するための永久磁石２７が固定されている。
一方、支持台１２の下部にはロータリシリンダ等よりなるアクチュエータ２５が配設され、その作動ロッドの先端には作動手段としての作動部材２６が取り付けられている。このアクチュエータ２５は、作動部材２６が昇降しながら、内装した螺旋構造により９０度前後の一定範囲内で回動するように動作する。従って、支持台１２に対する治具１５のセット状態で、アクチュエータ２５が作動されることにより、作動部材２６が下降開始とともに図１及び図２に実線で示す被固定部材２４への非係合位置から鎖線で示す係合位置に９０度回動される。その後、下降移動した作動部材２６が治具１５の被固定部材２４の架設部２４ａの上面に係合し、支持台１２の下面側から支持台１２の透孔１２ａ及びパネル１１の開口部１１ａを介して、治具１５が引き下げられて、同治具１５が支持台１２側に引き付けられ、縁枠材１３が開口部１１ａの周縁表面に圧着されるようになっている。
【００２０】
次に、前記のように構成された縁枠材の取付装置により、パネル１１の開口部１１ａの周縁表面に縁枠材１３を重合固定する場合の取付方法について説明する。
さて、この縁枠材１３の取り付けに際しては、まずパネル１１を支持台１２上に支持する。次いで、図４に示すように、縁枠材１３を治具１５に対して、永久磁石２７に吸着保持した状態で、取付金具１４の位置決め孔１４ａと保持部材１８の位置決め突起１８ａとの係合により位置決めする。この状態で、縁枠材１３の下面またはパネル１１の開口部１１ａの周縁表面のいずれか一方の複数箇所に接着剤をスポット的に塗布する。そして、縁枠材１３がパネル１１の開口部１１ａの周縁表面に重合されるように、把手部１７を持って、治具１５を支持台１２にセットする。この場合、規制ピン２２と規制座部２３との相対係合により、治具１５のセット位置が規制されるため、治具１５が左右位置を誤ってセットされるおそれはない。また、案内ピン２０と案内部材２１との係合により、治具１５が所定のセット位置に案内誘導されるため、治具１５のセット作業を正確に行うことができる。
【００２１】
そして、この治具１５のセット状態で、アクチュエータ２５により、作動部材２６が非係合位置から係合位置に９０度回動されて、作動部材２６が治具１５の被固定部材２４における架設部２４ａの上面に位置する。それとともに、作動部材２６が下方に移動されて前記架設部２４ａの上面に係合して、被固定部材２４が引き下げられる。このため、治具１５が支持台１２側に引き付けられて、縁枠材１３が開口部１１ａの周縁表面に圧着される。さらに、この圧着状態で所定時間保持されることにより、縁枠材１３が開口部１１ａの周縁表面に接着固定される。その後、前記の場合とほぼ逆順に動作して、作動部材２６による治具１５の下方への引き付けが解除される。この状態で、把手部１７を介して治具１５を位置決め突起１８ａの突出方向に移動させるとともに、永久磁石２７による吸着に抗して治具１５を縁枠材１３から分離させ、その位置決め突起１８ａと位置決め孔１４ａとの係合を解除させる。その後、支持台１２上からパネル１１を取り外すことにより、パネル１１に対する縁枠材１３の取り付け作業が終了する。
【００２２】
以上のように、この縁枠材の取付装置においては、従来装置と異なって、支持台１２の上方に支持アーム、圧着用シリンダ及び押圧部材等が配設されることがなく、支持台１２の上方が開放された状態にある。このため、支持台１２上へのパネル１１の着脱作業やパネル１１上への縁枠材１３のセット作業を容易に行うことができて、それらの作業能率を向上させることができる。
【００２３】
以上のように、この実施形態においては、以下の効果を発揮する。
・  支持台１２の上方を開放させることができ、支持台１２上へのパネル１１の着脱作業やパネル１１上への縁枠材１３のセット作業を容易に行うことができる。
【００２４】
・  治具１５を案内ピン２０と案内部材２１とにより案内できるため、縁枠材１３を治具１５に保持した状態でパネル１１に対して所定位置に正確にセットすることができる。
・  規制ピン２２と規制座部２３とにより、支持台１２と治具１５とのセット位置関係が規制されるため、治具１５が誤った向きにセットされることがなく、縁枠材１３の組付不良を未然に防止することができる。
【００２５】
・  永久磁石２７により縁枠材１３を治具１５に対して脱落することなく保持することができ、作業が容易になる。
（変更例）
なお、この実施形態は、次のように変更して具体化することも可能である。
【００２６】
・  案内ピン２０及び案内部材２１が規制ピン２２及び規制座部２３の機能を兼用するように構成すること。すなわち、治具１５の向きが誤っている場合に、案内ピン２０と案内部材２１との位置関係が一致しないように構成し、治具１５の案内ができないようにすること。このようにした場合には、規制ピン２２及び規制座部２３を省略できる。
【００２７】
・  この発明を成形天井板以外の組付け、例えば、ドアトリムに対する他の部品の組付けに応用すること。
【図面の簡単な説明】
【００２８】
【図１】一実施形態の縁枠材の取付装置を示す分解斜視図。
【図２】図１の縁枠材の取付装置の一部を拡大して示す分解斜視図。
【図３】図２の３−３線における作動状態での要部断面図。
【図４】図２の４−４線における作動状態での要部断面図。
【図５】従来の縁枠材の取付装置を示す斜視図。
【符号の説明】
【００２９】
１１…パネル、１１ａ…開口部、１２…支持台、１２ａ…透孔、１３…縁枠材、１４…取付金具、１４ａ…位置決め孔、１５…治具、１８…保持部材、１８ａ…保持部としての位置決め突起、２０…案内手段を構成する案内ピン、２１…案内手段を構成する案内部材、２１ａ…案内板、２１ｂ…案内ベアリング、２２…規制手段としての規制ピン、２３…規制手段としての規制座部、２４…突出部としての被固定部材、２５…アクチュエータ、２６…作動手段としての作動部材、２７…永久磁石。
【図１】
2006123082.tif 000003
【図２】
2006123082.tif 000004
【図３】
2006123082.tif 000005
【図４】
2006123082.tif 000006
【図５】
2006123082.tif 000007